(57)【要約】【課題】  基体表面に広い角度範囲で虹色模様を出現させることができ、低コストで製造できるルアー及びその製造方法を提供する。【解決手段】  ルアー１０は、表層が反射層である基体１１と、この基体１１の表面に不均一な膜厚で形成された透明被膜層１２とを備えている。このように構成されたルアー１０に白色光（太陽光）が入射すると、透明被膜層１１の表面で反射する光と、透明被膜層１１を透過し基体１１表面で反射する光との間で干渉が生じる。透明被膜層１２の膜厚は不均一に形成されているので、光の干渉（強め合い）が生じる位置は入射光の波長成分によって異なり、結果的に、ルアー表面に赤、緑、青等を含む虹色の干渉模様が出現する。透明被膜層１２は蒸着重合法や物理的蒸着法といった真空薄膜形成方法で容易に成膜でき、ルアーの大量生産にも適するので、製造の低コスト化が図れる。【選択図】        図１
2006141285.tif 000002
【特許請求の範囲】
【請求項１】
表層が反射層である基体と、この基体の表面に不均一な膜厚で形成された透明被膜層とを備えたことを特徴とするルアー。
【請求項２】
前記透明被覆層は、前記基体の表面に連続形成されていることを特徴とする請求項１に記載のルアー。
【請求項３】
前記透明被覆層は、前記基体の表面に点在して形成されていることを特徴とする請求項１に記載のルアー。
【請求項４】
前記透明被覆層の膜厚は、０．１μｍ以上１μｍ以下の範囲に分布形成されていることを特徴とする請求項１に記載のルアー。
【請求項５】
前記透明被膜層は、ポリイミド、ポリ尿素、ポリアミド、アクリル樹脂、ポリウレタン及びポリカーボネートのうち少なくとも何れか１種の有機化合物であることを特徴とする請求項１に記載のルアー。
【請求項６】
前記透明被覆層は、ＳｉＯ2、ＺｒＯ2、ＴｉＯ2、Ｎｂ2Ｏ5及びＡｌ2Ｏ3のうち何れか１種の金属酸化物またはそれらの中の２種以上の金属酸化物の積層であることを特徴とする請求項１に記載のルアー。
【請求項７】
真空槽内で、表層が反射層である基体を開口部を有する容器の内部に収容し、前記開口部を介して前記容器の内部に蒸着材料を供給することにより、前記基体の表面に不均一な膜厚の透明被覆層を形成することを特徴とするルアーの製造方法。
【請求項８】
前記透明被覆層として、有機化合物層を蒸着重合法によって形成することを特徴とする請求項７に記載のルアーの製造方法。
【請求項９】
前記透明被覆層として、金属酸化物層を物理的蒸着法によって形成することを特徴とする請求項７に記載のルアーの製造方法。
【請求項１０】
前記透明被覆層の膜厚を０．１μｍ以上１μｍ以下の範囲に分布形成させることを特徴とする請求項７に記載のルアーの製造方法。
【発明の詳細な説明】
【技術分野】
【０００１】
本発明は、表面に虹色の干渉縞が出現する構成のルアー及びその製造方法に関する。
【背景技術】
【０００２】
従来より、ルアーフィッシングで使用するルアーには、形状あるいは機能に応じて複数種に分類されている。例えば、サジのような形をしたスプーン型、小魚に似せたプラグ型（ミノー型）、軸に回転翼とオモリが付いたスピナー型、棒のような形状のジグ型、水中で振動するように構成されたバイブレーション型、音を発生するラトル型等がある。これらルアーは何れも、水中でキラキラと輝いたり揺れたりして対象魚の好奇心を刺激し、ルアーをエサ（小魚）と見せかけて食いつかせることを目的に構成されている。
【０００３】
ルアーを小魚のように見せかける構造的特徴のひとつに、その基体の表面を小魚のように輝かせることにある。そのため、従来のルアーには、光を虹模様に反射する塗料で印刷したり（下記特許文献１参照）、シールやホログラムシートを基体表面に施したり（下記特許文献２参照）、透明な基体内部に回折格子を埋め込んだり（下記特許文献３参照）、反射体を収容したもの（下記特許文献４参照）等がある。
【０００４】
【特許文献１】特開２００３−３８０６５号公報
【特許文献２】特開２０００−１２５７０２号公報
【特許文献３】特開２０００−２１７４６７号公報
【特許文献４】特開平１０−１９１８３９号公報
【発明の開示】
【発明が解決しようとする課題】
【０００５】
しかしながら、上記特許文献１，２のように、基体表面に塗料を施したり、シールやホログラムシートを貼り付けて基体表面に虹色の反射面を構成する方法では、これら反射面が平面的なものであるため光の反射方向が限られてしまい、魚へのアピールという点では必ずしも満足できるものではない。また、使用中に塗膜やシールが剥がれるなど、基体との密着性も不十分であるという問題がある。
【０００６】
また、上記特許文献３，４の構成では、ルアー内部に微細かつ多数の回折格子あるいは多数の反射板を設けることによって、広角度範囲に亘って反射光を発生させるようにしているが、いずれも構造が複雑で、ルアー製作プロセスが煩雑となり、製造コストも高くなるという問題を有している。
【０００７】
本発明は上述の問題に鑑みてなされ、基体表面に広い角度範囲で虹色模様を出現させることができ、低コストで製造することができるルアー及びその製造方法を提供することを課題とする。
【課題を解決するための手段】
【０００８】
以上の課題を解決するに当たり、本発明のルアーは、表層が反射層である基体と、この基体の表面に不均一な膜厚で形成された透明被膜層とを備えている。
【０００９】
このように構成されたルアーに白色光（太陽光）が入射すると、透明被膜層の表面で反射する光と、透明被膜層を透過し基体表面の反射層で反射する光との間で干渉が生じる。透明被膜層の膜厚は不均一に形成されているので、光の干渉（強め合い）が生じる位置は入射光の波長成分によって異なり、結果的に、ルアー表面に赤、緑、青等の虹色の干渉光が出現することになる。
【００１０】
この透明被膜層の膜厚の不均一性は、透明被膜層の膜厚を規則的に変化させた場合は勿論、透明被膜層の膜厚を不規則に変化させた場合も含まれる。このとき、透明被膜層は基体表面に連続的に形成されていてもよいし、不連続となるように点在して形成されていてもよい。また、透明被膜層の膜厚は、虹色の干渉光を出現させることができる膜厚である必要があり、可視光波長が含まれるように、例えば０．１μｍ〜１μｍの範囲内に分布形成するのが好ましい。
【００１１】
透明被膜層を構成する材料としては、具体的に、ポリイミド、ポリ尿素、ポリアミド、アクリル樹脂、ポリウレタン、ポリカーボネート等の有機化合物薄膜、あるいは、石英、ガラス、ジルコニア、酸化チタン、酸化ニオブ、サファイア等の金属酸化物等が挙げられる。
【００１２】
これらの材料でなる不均一な膜厚の透明被膜層は、真空装置を用いた蒸着重合法や物理的蒸着法（ＰＶＤ法）、化学的気相成長法（ＣＶＤ法）等によって容易に薄膜化でき、かつ大量に製造できるので、低コスト化を実現できる。また、基体表面との密着性にも優れるので、ルアーの高品質化にも貢献できる。
【００１３】
すなわち、本発明のルアーの製造方法は、真空槽内で、表層が反射層である基体を開口部を有する容器の内部に収容し、上記開口部を介して容器の内部に蒸着材料を供給することにより、基体の表面に不均一な膜厚の透明被覆層を形成するようにしている。
【発明の効果】
【００１４】
以上述べたように、本発明のルアーによれば、表層が反射層である基体の表面に不均一な膜厚の透明被膜層を形成したので、入射白色光の干渉現象により広い角度範囲に亘って虹模様を出現させることができ、これにより、対象魚へのアピール効果を高め、釣果向上に貢献できる。
【００１５】
また、本発明のルアーの製造方法によれば、上記構成のルアーを真空薄膜形成法によって製造するようにしているので、生産性および耐久性に優れ、低コストかつ高品質のルアーを製造することができる。
【発明を実施するための最良の形態】
【００１６】
以下、本発明の各実施の形態について図面を参照して説明する。
【００１７】
（第１の実施の形態）
図１は、本発明の第１の実施の形態によるルアー１０の概略構成を示しており、Ａは平面図、ＢはＡにおける［Ｂ］−［Ｂ］線断面図である。
【００１８】
本実施の形態のルアー１０は、表面が反射層である基体１１と、この基体１１の表面に不均一な膜厚で形成された透明被膜層１２とで構成されている。透明被膜層１２は、基体１１の表面保護膜として機能すると同時に、ルアー１０表面に虹色の干渉光を出現させる光学膜としての機能を有している。
【００１９】
基体１１は、板状の金属部材（例えばステンレス）でなり、表層が金属面特有の光沢を有し、光の反射層とされている。基体１１の形状は特に限定されず、図示するように単純な平面的な幾何学的形状のもののほか、小魚に似せたより複雑で立体的な形状のものや、回転軸などの機構部品を備えたものであってもよい。基体１１は中実形状だけでなく、中空形状でもよい。
【００２０】
また、基体１１の構成材料は金属製に限らず、例えばプラスチック製等とし、その表層に金属コーティングを施して反射膜を形成したものでもよい。反射層は金属層に限らず、一定の光沢を有するプラスチック等の平滑面であってもよい。基体１１の表面は平面的なものに限定されず、例えば、曲面形状としたり、鱗片状に微細加工を施したり、凹凸を付ける等してもよい。
【００２１】
なお、基体１１の長手方向の両端近傍位置には貫通孔１１ａ，１１ｂがそれぞれ穿設されており、それぞれ、釣糸や釣針（何れも図示略）の取付孔とされている。貫通孔１ａ，１１ｂの形成位置は、釣糸や釣針の取付位置に応じて適宜設定される。
【００２２】
一方、透明被膜層１２は、ポリイミド膜で構成されている。なお、これ以外にも、ポリ尿素、ポリアミド、アクリル樹脂、ポリウレタン、ポリカーボネート等の有機化合物や、石英やガラス（ＳｉＯ２）、ジルコニア（ＺｒＯ２）、酸化チタン（ＴｉＯ２）、酸化ニオブ（Ｎｂ２Ｏ５）、サファイア（Ａｌ２Ｏ３）等の金属酸化物等が適用可能であり、仕様等に応じて選定される。特に、透明被膜層１２に酸化チタン等を用いた場合、抗菌性が付与され、ルアー保管衛生上、有益である。また、透明被膜層１２は単層膜に限らず、２種以上の多層膜構造（積層体）であってもよい。
【００２３】
透明被膜層１２は、基体１１の表面全域を被覆する連続膜として形成されているが、基体１１を挟むように、基体１１の表面側及び裏面側にそれぞれ形成するだけでもよい。また、基体１１の一表面側にのみ透明被膜層１２を形成するだけでもよい。
【００２４】
本実施の形態では、透明被膜層１２の膜厚分布勾配をほぼ一様に形成し、各色の干渉光をほぼ等ピッチで出現させるようにしているが、これに限らない。つまり、透明被膜層１２の膜厚分布勾配を不規則的に設定したり、下地である基体１１の表層に凹凸加工等を施したものにおいては、より複合的でリアル感のある虹色の干渉模様を出現させることができるようになる。
【００２５】
透明被膜層１２の膜厚は、ルアー１０表面に虹色の干渉光を出現させることができる膜厚である必要があり、より具体的には、透明被膜層１２の膜厚は、その屈折率等も考慮して、以下説明するように大凡０．１μｍ以上１μｍ以下の範囲内に分布形成されている。
【００２６】
一般に、光が膜に入射したとき、膜上面からの反射と膜を通過して膜下面から反射してきた光との光路差により干渉が生じるが、干渉による光の強弱は、次式で表される。
光が強め合う条件：２ｎｄ＝（２ｍ＋１）λ／２
光が弱め合う条件：２ｎｄ＝λ
ここで、ｎは膜の屈折率、ｄは膜厚、λは入射光波長、ｍは任意の整数である。
【００２７】
図２は、膜の屈折率ｎ＝１．５及び１．８の場合の干渉波長と膜厚の関係を上記式より算出してグラフ化したものである。また、図３Ａ，Ｂは、屈折率ｎ＝１．５及び１．８の場合の、代表的干渉色（青、緑、黄、赤）の強く発現する膜厚を計算で求めた表である。ここで、屈折率１．５の膜としてＳｉＯ２、屈折率１．８の膜としてポリイミドが挙げられる。屈折率ｎが１．５の場合も１．８の場合も、ｍ＝４とｍ＝５とでは、同膜厚に対して色の重なりが大きくなり、くすんだ色となることが示唆される。このことから、膜厚ｄとして、１μｍ程度までが、干渉色を際立たせることになる。
【００２８】
なお、虹色の干渉模様は、赤、橙、黄、緑、青、藍、紫の７色を常に出現させる必要はなく、これらのうち少なくとも１色あるいは２色以上の混合色が、広角度範囲にわたって認識できるものであれば足り、複数の干渉色が同時に出現し、かつ見る角度によって出現色が変幻可能な形態が特に好ましい。
【００２９】
以上のように構成される本実施の形態のルアー１０は、図示しないルアーロッドのリールから繰り出されて水中に投げ入れられる。そして、水中を沈んでいく際、入射する太陽光を反射してキラキラと輝き、魚の好奇心を刺激する。また、リトリーブ（糸を巻き取る操作）の際、ルアー１０は水圧を受けて様々な動きをし、あたかも生きた小魚（エサ）のように見せかける。
【００３０】
そこで、本実施の形態のルアー１０は、表層が反射層である基体１１の表面に透明被膜層１２が不均一な膜厚で連続形成されているので、水中でルアー１０の表面に入射した太陽光（白色光）は、透明被膜層１２の表面で反射する光と、透明被膜層１２を透過し基体１１表面の反射層で反射する光との間で干渉現象を起こし、透明被膜層１２の膜厚で定まる光路差に対応して分光した各波長領域の形成色を出現させる。これにより、ルアー１０の表面に虹色模様が露呈し、魚へのアピール効果が高められ、釣果の向上に貢献できる。
【００３１】
ここで、図４は、基体１１の表面に透明被膜層１２（ポリイミド、屈折率１．８）を例えば１００ｎｍ、１２５ｎｍ、１５０ｎｍの厚さで形成した場合の入射光波長の反射率分布を示している。図示の例からも明らかなように、透明被膜層１２の膜厚に応じて各色の干渉光の反射率強度が異なるため、ルアー１０の表面領域によって各干渉色が鮮明に引き出されることがわかる。
【００３２】
次に、以上のように構成されるルアー１０の製造方法について、図５を参照して説明する。図５は、対象物に対して真空蒸着重合法により高分子薄膜からなる透明被膜層１２を被覆するための蒸着重合装置１３の概略構成図である。
【００３３】
蒸着重合装置１３の真空槽１４には、それぞれ図示しないガス導入バルブを介してモノマーガスを導入する一対の第１ガス導入口１５及び第２ガス導入口１６と、図示しない真空排気手段（油拡散ポンプ等の真空ポンプ）に接続される排気バルブを介して真空槽１４の排気動作を行うための真空排気口１７とが設けられている。
【００３４】
真空槽１４の内部には、蒸着重合対象物としてルアーの基体１１が配置されている。基体１１は、真空槽１４内に設置された保持治具１８に懸吊されているとともに、一端側にのみ開口部１９Ａを有する筒状の容器１９（図６Ａ）の内部に収納されている。保持治具１８は、基体１１を複数個同時に保持できる構成となっている。なお、容器１９は、明示せずとも保持治具１８に対し適当な部材を介して保持されているものとする。
【００３５】
また、蒸着重合装置１３には、真空槽１４の内部の温度を制御できる図示しない温度制御手段が設置されており、蒸着重合反応に必要な熱を供給できるように構成されている。そして、蒸着重合対象物たる基体１１の表面は、上述した温度制御手段により加熱された真空槽１４の内壁からの輻射熱で全体が均等に加熱されるようになっている。
【００３６】
以上のように構成される本実施の形態の蒸着重合装置１３においては、真空槽１４の内部に基体１１を配置しこれを円筒状の容器１９の内部に収容する。そして、真空排気口１７を介して真空槽１４の内部を１０-2Ｐａに減圧し、この圧力状態を保ちながら温度制御手段により真空槽１４の内部を２００℃に加熱する。
【００３７】
その後、あらかじめ２００℃に加熱した気体状態のピロメリト酸二無水物（ＰＭＤＡ）を第１ガス導入口１５から真空槽１４へ導入すると同時に、あらかじめ１８７℃に加熱した気体状態の４，４−ジアミノジフェニルエーテル（ＯＤＡ）を第２ガス導入口１６から真空槽１４へ導入する。この状態で、基体１１の表面で蒸着重合反応を進行させ、基体１１の表面全体にポリイミド製の透明被膜層１２を不均一な膜厚で被覆する。
【００３８】
ここで、基体１１の表面全体に透明被膜層１２を不均一な膜厚で被覆する方法として、本実施の形態では、図６Ａに示したように、一端側にのみ開口部１９Ａを有する容器１９の内部に基体１１を収容させ、開口１９Ａを介して容器１９の内部に蒸着材料であるモノマーガスを供給することにより、基体１１の表面にその開口部１９Ａに近い側の端部から遠い側の端部にわたって膜厚が漸次小となる透明被膜層１２を形成するようにしている。このような方法により、図１Ｂに示した形態のルアー１０が製造される。
【００３９】
なお、図６Ｂに示すように、基体１１を収容する容器１９が両端に開口部１９Ａ，１９Ｂを有する場合、基体１１の表面に成膜される透明被膜層１２が、開口１９Ａ，１９Ｂに近い領域ほど厚く、中央部にいくほど薄く形成されたルアー１０’を製造できるようになる。このような形態の膜厚不均一性をもたせたルアー１０’も、本発明の適用範囲内とされる。
【００４０】
なお、基体１１の表面に形成される透明被膜層１２は、その膜厚が０．１μｍ〜１μｍの範囲内に分布形成されるようにしているが、その膜厚監視法としては公知の技術が適用可能であり、例えば、水晶振動子法を用いた膜厚モニタを設置したり、成膜時間で膜厚コントロールを行うことができる。
【００４１】
以上のように、本実施の形態のルアー製造方法によれば、真空蒸着重合法によって基体１１の表面に膜厚が不均一な透明被膜層１２を形成するようにしているので、基体１１と透明被膜層１２の優れた密着性が得られ、耐久性の高い高品質なルアー１０を得ることができる。また、真空薄膜形成手段によってルアー１０を製造するようにしているので、薄膜状の透明被膜層を容易に形成でき、大量生産が可能であるので、表面に虹色の干渉模様が出現するルアー１０を低コストで製造することができる。
【００４２】
ここで、図６Ｂの実施形態における実製作例を以下に示す。
長さ３５ｍｍ、幅７ｍｍのステンレス基体１１を用いて蒸着重合法によりポリイミド被覆層を形成することによりルアー１０’を製作した。両端開口の筒（容器１９）に基体を収容し、基体と筒内面との隙間を２ｍｍ程度、筒端面から２０ｍｍの位置に基体端部がくるように基体を保持して圧力０．６７Ｐａにて成膜を行ったところ、ルアーの長手方向に概ね６色が明瞭に認識できるような虹色干渉色の発現を得た。明瞭に認識される色は、ルアー端部から順に紫、青、緑、黄色、ピンク、緑であり、各色の幅は概ね３ｍｍから７ｍｍであった。ポリイミド被膜層の膜厚は連続的に変化しているので、各色の境界は淡い虹色となっている。
また、基体と容器内面の隙間を２０ｍｍ程度とした場合、ルアー長手方向に２色にわたる干渉色が発現することが確認された。これにより、ルアーと筒内面との隙間を様々に変えることで、多種多様な虹色模様のルアーを製造することができる。
なお、蒸着重合法においては、成膜時の圧力を０．１〜１００Ｐａの範囲で変えることにより、基体表面へのモノマーガス供給濃度分布も変えることが可能であるので、圧力の調整によって透明被覆層の膜厚不均一性を変えることも可能である。
【００４３】
（第２の実施の形態）
続いて、本発明の第２の実施の形態について図７から図９を参照して説明する。
【００４４】
本実施の形態のルアー２０は、図８及び図９Ｂに示すように、表面が反射層である基体２１と、この基体２１の表面に不均一な膜厚で点在して形成された透明被膜層２２とで構成されている。基体２１及び透明被膜層２２は、それぞれ、上述の第１の実施の形態における基体１１及び透明被膜層１２にそれぞれ対応している。
【００４５】
本実施の形態において、透明被膜層２２は、基体１１の表面の複数箇所に点在して形成されている。各透明被膜層２２は、図８に示したように小山状で、膜厚が不均一とされている。なお、この場合においても、上述の第１の実施の形態と同様、膜厚が０．１μｍ〜１μｍの範囲内となるように形成されている。
【００４６】
このような構成のルアー２０によれば、光の干渉現象により基体２１の表面に局所的に虹模様を出現させることができるようになり、見る角度によってその虹模様を変幻させ、魚により高いアピール効果をもたらすことができる。また、透明被膜層２２の分布密度、膜厚勾配等を適宜調整すれば、よりリアル感を高められる。
【００４７】
以上の構成のルアー２０は、例えば図７に概略的に示すスパッタ装置２３によって製造することができる。図示の例において、真空槽２４には、スパッタカソード２５と、反応ガス供給口２６と、真空排気口２７とが設けられている。
図の例では、スパッタカソード２５として、マグネトロンスパッタカソードを示している。本実施の形態の透明被膜層２２は金属酸化物、例えば酸化チタンで形成されており、これに対応してターゲット２５Ｔはチタン、反応ガス供給口２６からはアルゴンガス及び酸素ガスが導入されるようになっている。ターゲット２５Ｔはメタルボンディングあるいはクランプ機構によりバッキングプレート２５Ｐに固定され、バッキングプレート２５Ｐの裏面側には磁石２５Ｍが配置されている。２５Ａはターゲット２５に供給される電力の供給源であり、直流電源、工業周波数１３．５６ＭＨｚの高周波電源に代表される交流電源のいずれでも実施可能である。
【００４８】
真空槽２４の内部には、蒸着重合対象物としてルアーの基体２１が配置されている。基体２１は、真空槽１４内に設置された保持治具２８に懸吊された円筒状の容器２９の内部に収容されている。容器２０は、その側周面に複数の開口部２９Ａが穿設されており、その側周面がターゲット２５に対向配置されている。
【００４９】
図７の例のように、保持治具２８は、容器２９をその軸心のまわりに回転可能に構成することもできる。この場合、真空槽２４の外部に設置されたモータ２８Ａと、容器２９に固定された回転軸２８Ｂとを備えている。この場合、基体１１は、回転軸２８Ｂの先端に遊動自在に取り付けられたり、真空槽２４の内部に別途配置した支持部材を介して、容器２９内に保持されるようにする。
【００５０】
上記構成のスパッタ装置２３においては、真空槽２４の内部に発生したプラズマによってターゲット材料がスパッタされ、飛び出した蒸着材料が反応ガス供給口２６から導入される酸素ガスと反応し、容器２９の開口部２９Ａを介して基体２１の表面に成膜される。容器２９は、基体２１に対してパターンマスクとして機能し、図８に示したように、透明被膜層２２を基体２１表面の所定部位に選択形成させる。これにより、本実施の形態のルアー２０が製造される。
【００５１】
なお、容器２９を用いる代わりに、図９Ａに示したように平面状のマスク３１を用いて透明被膜層２２を基体２１上にパターン成膜させることも可能である。マスク３１には、基体２１表面の成膜領域に対応する複数の開口部３１Ａが設けられている。
【００５２】
以上、本発明の各実施の形態について説明したが、勿論、本発明はこれらに限定されることなく、本発明の技術的思想に基づいて種々の変形が可能である。
【００５３】
例えば以上の第２の実施形態では、スパッタ法によって、金属酸化物でなる透明被膜層２２を基体２１の表面に成膜させる例について説明したが、スパッタ法に限らず、電子ビーム蒸着法やレーザアブレーション法などの他の物理的蒸着法や、ＣＶＤ法を採用することも可能である。
【００５４】
また、上述の第１の実施形態で説明した構成のルアー１０において、透明被膜層１２を金属酸化物層で形成する場合には、蒸着重合法に代えて物理的蒸着法が適用可能である。この場合、容器１９は例えばその下端側に開口部を有するものとし、この開口部を蒸発源に対向配置させることにより、透明被膜層の膜厚を基体１１の一端側から他端側に亘って膜厚を一様に変化させることができる。そして、基体１１と容器１９内面との隙間を様々に変えることで、膜厚不均一性を変化させることもできるので、多種多様な虹色模様のルアーを製造することができる。
【図面の簡単な説明】
【００５５】
【図１】本発明の第１の実施の形態によるルアー１０の概略構成図であり、Ａは平面図、Ｂは側断面図である。
【図２】透明被膜層の膜厚と光の波長との関係を示すグラフである。
【図３】干渉光の波長と透明被膜層の膜厚との関係を示す表であり、Ａは膜の屈折率が１．５、Ｂは膜の屈折率が１．８の場合をそれぞれ示している。
【図４】ルアー基体の表面にポリイミド膜を１００ｎｍ，１２５ｎｍ，１５０ｎｍの厚さで形成したときの光学特性を示す図である。
【図５】ルアー１０の製造方法を説明する蒸着重合装置１３の概略構成図である。
【図６】基体１１を収容する容器１９によって透明被膜層１２の膜厚を不均一化する方法を説明する図である。
【図７】本発明の第２の実施の形態によるルアー製造装置２３の概略構成図である。
【図８】ルアー２０の断面構造と透明被膜層２２の成膜方法を説明する要部断面図である。
【図９】透明被膜層２２の他の成膜方法とルアー２０の平面形態を示す図である。
【符号の説明】
【００５６】
１０  ルアー
１１  基体
１２  透明被膜層
１３  蒸着重合装置
１４  真空槽
１９  容器
１９Ａ  開口部
２０  ルアー
２１  基体
２２  透明被膜層
２３  スパッタ装置
２４  真空槽
２９  容器
２９Ａ  開口部
３１  マスク
３１Ａ  開口部
【図１】
2006141285.tif 000003
【図２】
2006141285.tif 000004
【図３】
2006141285.tif 000005
【図４】
2006141285.tif 000006
【図５】
2006141285.tif 000007
【図６】
2006141285.tif 000008
【図７】
2006141285.tif 000009
【図８】
2006141285.tif 000010
【図９】
2006141285.tif 000011